(57)【要約】【課題】携帯端末装置による無線信号を用いて呼び登録をおこなった場合であっても誤登録を防止する。【解決手段】エレベータホール入口に設置されたＮＦＣリーダライタ８と、各階床のエレベータホール入口に対してエレベータ戸側に設けられた無線受信端末１０１〜１０２と、ＮＦＣリーダライタ8と通信する第１の通信部と、無線受信端末と通信する第２の通信部と、第２の通信部を起動する呼び登録専用のアプリケーションと、を有する携帯端末と、を備え、ＮＦＣリーダライタ８が第１の通信部により携帯端末の個別ＩＤを認証したとき呼び登録専用のアプリケーションが起動され、その後、利用者は第２の通信部により個別ＩＤと、呼び登録信号と、を無線受信端末へ送信する。【選択図】図２
2015124061.tif 000002
【特許請求の範囲】
【請求項１】
複数階床をサービスするエレベータに対して利用者が携帯する携帯端末により乗りかごの呼び登録信号を送信する乗り場呼び登録システムにおいて、
エレベータホール入口に設置されたＮＦＣリーダライタと、
各階床の前記エレベータホール入口に対してエレベータ戸側に設けられた無線受信端末と、
前記ＮＦＣリーダライタと通信する第１の通信部と、前記無線受信端末と通信する第２の通信部と、前記第２の通信部を起動する呼び登録専用のアプリケーションと、を有する前記携帯端末と、
を備え、前記ＮＦＣリーダライタが前記第１の通信部により前記携帯端末の個別ＩＤを認証したとき前記呼び登録専用のアプリケーションが起動され、その後、前記利用者は前記第２の通信部により前記個別ＩＤと、前記呼び登録信号と、を前記無線受信端末へ送信することを特徴とする乗り場呼び登録システム。
【請求項２】
請求項１に記載の乗り場呼び登録システムにおいて、前記無線受信端末が前記個別ＩＤを複数受信した場合、前記第２の通信部の電波強度が最も大きい前記呼び登録信号を有効とすることを特徴とする乗り場呼び登録システム。
【請求項３】
請求項１に記載の乗り場呼び登録システムにおいて、各階床の前記エレベータホールの床面あるいは天井の少なくともいずれかにおいて前記第２の通信部の電波強度を減衰させることを特徴とする乗り場呼び登録システム。
【請求項４】
請求項１に記載の乗り場呼び登録システムにおいて、銅、ニッケル、銀の金属粉と、鉄、アルミの箔を混ぜ込んだ導電性塗料と、ステンレス繊維を分散させた導電性高分子と、のいずれかにより前記電波強度を減衰させるシールドクロスが前記エレベータ戸から乗り場側の所定範囲に敷かれていることを特徴とする乗り場呼び登録システム。
【発明の詳細な説明】
【技術分野】
【０００１】
本発明はエレベータの乗り場に設け、エレベータを利用者のいる階に呼び寄せる乗り場呼び登録システムに関し、特に携帯端末を利用したものに好適である。
【背景技術】
【０００２】
従来、エレベータ利用者が所持した携帯端末装置により呼び登録を行なうにあたって、誤登録を防止するため、携帯端末装置の所持者がエレベータに近づいていることを検知し、呼び情報をエレベータに送信することが知られ、特許文献１に記載されている。
【先行技術文献】
【特許文献】
【０００３】
【特許文献１】特開２００８−５６３７７号公報
【発明の概要】
【発明が解決しようとする課題】
【０００４】
上記特許文献１に記載されたものはエレベータの呼び登録を無線送信機により行っている。また、携帯端末装置として利用者が常時所持している携帯電話を利用することが望ましいが、携帯電話の多くに搭載されている無線技術は、無線信号が床や壁などを通過する。したがって、単に、ある階床で携帯端末装置の所持者がエレベータに近づいていることを検知したとしても、そのエレベータの真上となる隣接する階においてエレベータに近づいたものと区別することが困難であり、利用者が呼びを登録したい階床に隣接する階に対しても呼び登録される恐れがあった。
【０００５】
本発明の目的は、上記従来技術の課題を解決し、携帯端末装置による無線信号を用いて呼び登録をおこなった場合であっても誤登録を防止することにある。
【課題を解決するための手段】
【０００６】
上記目的を達するために、本発明は、複数階床をサービスするエレベータに対して利用者が携帯する携帯端末により乗りかごの呼び登録信号を送信する乗り場呼び登録システムにおいて、エレベータホール入口に設置されたＮＦＣリーダライタと、各階床の前記エレベータホール入口に対してエレベータ戸側に設けられた無線受信端末と、前記ＮＦＣリーダライタと通信する第１の通信部と、前記無線受信端末と通信する第２の通信部と、前記第２の通信部を起動する呼び登録専用のアプリケーションと、を有する前記携帯端末と、を備え、前記ＮＦＣリーダライタが前記第１の通信部により前記携帯端末の個別ＩＤを認証したとき前記呼び登録専用のアプリケーションが起動され、その後、前記利用者は前記第２の通信部により前記個別ＩＤと、前記呼び登録信号と、を前記無線受信端末へ送信する、ものである。
【発明の効果】
【０００７】
本発明によれば、エレベータホールの入口で登録専用のアプリケーションを起動し、その後、利用者はエレベータ戸に近づいてから携帯端末装置の第２の通信部により個別ＩＤと、呼び登録信号と、を無線受信端末へ送信するので、無線信号であっても誤登録を防止することができる。
【図面の簡単な説明】
【０００８】
【図１】本発明の一実施の形態を示す全体ブロック図。
【図２】一実施の形態による呼び登録を説明する図。
【発明を実施するための形態】
【０００９】
以下、本発明の一実施の形態を図１〜図３を参照して説明する。  
図１は、エレベータ装置の全体構成図である。図１において、１はエレベータ制御装置、２は群管理制御装置、３１〜３３はエレベータ１〜３号機の号機制御装置である。４１〜４３は、１〜３号機のエレベータ乗りかごである。５１〜５３はかご内行先階登録装置、６１〜６３はかご位置表示装置である。１０１、１０２はエレベータホールの入口に対してエレベータ戸側の各階床乗場に設けられ、各号機で共通とされた無線受信端末、１１１〜１１６はそれぞれ１〜３号機の乗場に設けられサービスエレベータを案内するためのホールランタン（予約灯とも呼ぶ）である。
エレベータ機械室にあるエレベータ制御装置１は群管理制御装置２と複数の号機制御装置３１〜３３から構成されている。エレベータの乗りかごについて、かご４１を例にとって説明すれば、かご呼び釦５１が設けられており、かご呼び釦５１の信号は号機制御装置３１へ入力される。各階の乗場、例えば１階乗場には無線受信端末１０１が設けられており、エレベータ利用者の所持する携帯端末により行先階を呼び登録すると、無線受信端末１０１でその予約信号を受信し、群管理制御装置２は乗りかご４１を割り当てて配車する。
乗りかご４１内に設置のかご位置表示装置６１は群管理制御装置２からかご位置を示す信号が入力される。他の乗場案内装置であるホールランタン１１１と１１４は、号機制御装置３１を介して群管理制御装置２との間で信号を送受信する。
群管理制御装置２は、無線受信端末１０１、１０２からの信号、各号機制御装置３１〜３３から通信で送られてくるエレベータの位置、方向、かご呼びの状況、かご内の混雑度信号などを加味して新たに発生した乗場呼びに対して上記エレベータ中の１台のいずれかのかごに割当て、該当する号機制御装置３１〜３３に割当信号を送出する。号機制御装置３１〜３３はエレベータの走行制御、戸開閉制御等の号機に独立した制御を行い群管理制御装置２へ出力する。また、群管理制御装置２からの割当信号によりホールランタン１１１〜１１６を制御し待ち客に対して案内を行う。
【００１０】
図２を参照して、エレベータ利用者が携帯端末により乗り場呼びを登録する一連の流れを説明する。
【００１１】
ステップＳ１にてエレベータ利用者が乗り場入口に入り、ステップＳ２にて利用者は、携帯する携帯端末７をエレベータホール入口に設置され、第１の通信部となる携帯端末７に備えられたＩＣタグからの反射波を受信して受動通信モードとなるＮＦＣリーダライタ８にかざす。これにより、ＮＦＣリーダライタ８が端末個別ＩＤを認証して、認証したことを第１の通信部により携帯端末７へ送信し、携帯端末７内のメモリに格納された乗り場呼び登録専用のアプリケーションが起動される。
【００１２】
利用者は乗り場まで進み、ステップＳ３にて乗り場呼び登録専用のアプリケーションの起動が完了した携帯端末により上呼び、下呼びの登録、あるいは行先階を指定することで第２の通信部であるＷｉ-Ｆｉ（登録商標）等の無線通信で呼び登録信号と、ＩＣタグより受信した端末個別ＩＤとを発信する。発信された呼び登録信号と端末個別ＩＤとを各階床に設置した無線受信端末１０１，１０２で受信する。
【００１３】
無線受信端末１０１，１０２は、呼び登録信号と端末個別ＩＤと第２の通信部の電波強度を数値化して群管理制御装置２へ伝送する。群管理制御装置２は同一の端末個別ＩＤが複数あった場合には電波強度の強い、数値の最も大きい呼び登録信号を有効とし、他を無効とする。群管理制御装置２で有効とした呼び登録信号に基づいて乗りかごを割り当て、号機制御装置３１に対して配車指令を伝送する。
【００１４】
さらに、各階床のエレベータホールの床面あるいは天井の少なくともいずれかに第２の通信部の電波強度を減衰させる材料、例えば銅、ニッケル、銀などの金属粉や、鉄、アルミなどの箔を混ぜ込んだ導電性塗料、ステンレス繊維を分散させた導電性高分子等によるシート状のシールドクロス１０５、１０６が乗り場側のエレベータ戸入口から所定範囲、例えば１ｍから３ｍの範囲に敷かれている。このシールドクロス１０６により、第２の通信部の電波が、例えば１階から発信され、本来、無線受信端末１０１で受信すべき呼び登録信号が２階に漏洩し、無線受信端末１０２で受信されることをシールドクロス１０６により防止、または無線受信端末１０２で受信される電波強度が確実に無線受信端末１０１で受信されるものより小さくなるようにされている。
【００１５】
以上により、利用者が呼びを登録したい階床に隣接する階に対しても呼び登録されることを確実に防止することができる。また、シールドクロスを敷く代わりに床面あるいは天井の少なくともいずれかを直接に電波強度を減衰させる材料としても同様である。
【符号の説明】
【００１６】
１…エレベータ制御装置、２…群管理制御装置、３１〜３３…号機制御装置、４１〜４３…１〜３号機乗りかご、５１〜５３…行先階登録装置、６１〜６３…かご位置表示装置、７…携帯端末、８…ＮＦＣリーダライタ、１０１〜１０２…無線受信端末、１１１〜１１６…ホールランタン（予約灯）、１０５，１０６…シールドクロス。
【図１】
2015124061.tif 000003
【図２】
2015124061.tif 000004